(57)【要約】【課題】簡単で安価な構造によりガイドレールの断面係数を増やして強度を高くすることができ、しかも、展望用エレベータで使用する場合には太陽光の照射によるガイドレールの熱膨張を抑制することができるエレベータ用ガイドレール装置を提供する。【解決手段】エレベータ用ガイドレール装置において、エレベータ昇降路内に設けられてこのエレベータ昇降路内を昇降する昇降体をガイドするガイドレール４と、ガイドレール４に取付けられ、取付けられることによりガイドレール４の断面係数を増やす金属製のカバー７と、を備える。【選択図】図１
2012153495.tif 000002
【特許請求の範囲】
【請求項１】
エレベータ昇降路内に設けられてこのエレベータ昇降路内を昇降する昇降体をガイドするガイドレールと、
前記ガイドレールに取付けられ、取付けられることにより前記ガイドレールの断面係数を増やす金属製のカバーと、
を備えることを特徴とするエレベータ用ガイドレール装置。
【請求項２】
前記カバーと前記ガイドレールとの間に空間が形成されていることを特徴とする請求項１記載のエレベータ用ガイドレール装置。
【請求項３】
前記カバーには上下方向の両側が開放された空間が形成されていることを特徴とする請求項１記載のエレベータ用ガイドレール装置。
【請求項４】
前記カバーと前記ガイドレールとは、少なくとも一部が接触していることを特徴とする請求項１ないし３のいずれか一項に記載のエレベータ用ガイドレール装置。
【請求項５】
前記カバーは、複数に分割されて前記ガイドレールに対して個々に取付け可能な分割部材を有し、これらの分割部材が締結部材で締結されていることを特徴とする請求項１、２又は４のいずれか一項に記載のエレベータ用ガイドレール装置。
【発明の詳細な説明】
【技術分野】
【０００１】
本発明の実施形態は、エレベータ用ガイドレール装置に関する。
【背景技術】
【０００２】
エレベータ昇降路内には、エレベータ昇降路内を昇降する乗りかごやつり合いおもりなどの昇降体をガイドするガイドレールが上下方向に沿って設けられている。このガイドレールは、例えば下記特許文献１、２に記載されたように、断面形状Ｔ字型に形成され、一定間隔ごとに支持部材を用いて建物の梁部材やエレベータ昇降路の壁部などに固定されている。
【０００３】
ガイドレールは、ガイドする昇降体の荷重などに応じて強度を高くする必要があり、例えば、支持部材の設置間隔を狭くすることや、ガイドレールの材料として降伏点の高い材料を使用することや、ガイドレールのサイズを大きくすることなどにより強度を高めていた。
【先行技術文献】
【特許文献】
【０００４】
【特許文献１】特開２００５-２０６３４１号公報
【特許文献２】特開２００４-９１１０６号公報
【発明の概要】
【発明が解決しようとする課題】
【０００５】
しかしながら、支持部材の設置間隔を狭くした場合には使用する支持部材の数が多くなり、支持部材を取付ける手間がかかるとともにコストが大幅に高くなる。また、降伏点の高い材料を使用してガイドレールを製造する場合や、ガイドレールのサイズを大きくする場合にも、コストが大幅に高くなる。
【０００６】
一方、展望用エレベータでは、太陽光の照射を受けたガイドレールが加熱されて熱膨張する場合があり、この熱膨張や収縮に伴って支持部材とガイドレールとの接触個所で摩擦が生じる。そして、この摩擦に伴って発生する異音がエレベータ利用者に不快感を与えたり、摩擦に伴う摩耗によりガイドレールや支持部材が劣化する。さらに、ガイドレールの設置位置を決める場合には、加熱によるガイドレールの伸長を考慮する必要がある。
【０００７】
本発明はこのような課題を解決するためになされたもので、その目的は、支持部材の上下方向の設置間隔を狭めたり、又は、ガイドレールの材料として降伏点の高い材料を使用したり、又は、ガイドレールのサイズを大きくしたりするという高コストな手段を採用することなく、簡単で安価な構造によりガイドレールの強度を高めることができ、しかも、展望用エレベータで使用する場合には太陽光の照射によるガイドレールの熱膨張を抑制することができるエレベータ用ガイドレール装置を提供することである。
【課題を解決するための手段】
【０００８】
実施形態のエレベータ用ガイドレール装置は、エレベータ昇降路内に設けられてこのエレベータ昇降路内を昇降する昇降体をガイドするガイドレールと、前記ガイドレールに取付けられ、取付けられることにより前記ガイドレールの断面係数を増やす金属製のカバーと、を備える。
【図面の簡単な説明】
【０００９】
【図１】第１の実施形態のエレベータ用ガイドレール装置を示す斜視図である。
【図２】図１に示したエレベータ用ガイドレール装置の側面図である。
【図３】図１に示したエレベータ用ガイドレール装置の水平断面図である。
【図４】第１の実施形態のカバーの取付構造を示す斜視図である。
【図５】第１の実施形態のカバーの取付手順を示す分解平面図である。
【図６】第２の実施形態のエレベータ用ガイドレール装置を示す平面図である。
【発明を実施するための形態】
【００１０】
（第１の実施形態）
本発明の第１の実施形態を図１ないし図５に基づいて説明する。
【００１１】
エレベータが設置された建屋には、図１及び図２に示すようにエレベータ昇降路１に沿って上下方向に延びる建屋梁２が設けられている。建屋梁２には、一定間隔で配列された複数のレール支持部材３の一端側が溶接で固定されている。これらのレール支持部材３の他端側がエレベータ昇降路１内に突出しており、この他端側先端部には、後述するガイドレール４を取付けるための取付板３ａが溶接で固定されている。
【００１２】
エレベータ昇降路１内には、エレベータ昇降路１内を昇降する乗りかごやつり合いおもりなどの昇降体（図示せず）をガイドする金属製のガイドレール４が上下方向に沿って設けられている。ガイドレール４は、基部４ａとブレード部４ｂとからなる断面形状Ｔ字型に形成され、基部４ａが固定クリップ５とボルト６とナット（図示せず）とによりレール支持部材３の取付板３ａに固定され、ブレード部４ｂがエレベータ昇降路１の中央方向に向けられている。ブレード部４ｂには、エレベータ昇降路１内を昇降する昇降体のガイドシューなどが嵌合される。
【００１３】
ガイドレール４の基部４ａには、凹凸形状に形成された金属製のカバー７が取付けられている。カバー７は、図３、図４及び図５に示すように２つに分割された分割部材７ａ、７ｂを有し、これらの分割部材７ａ、７ｂは、基部４ａに対して個々に取付け可能に設けられている。図５は基部４ａへのカバー７の取付手順を示しており、分割部材７ａ、７ｂが基部４ａの両側から嵌合され、その後、これらの分割部材７ａ、７ｂが締結部材であるボルト８とナット９とにより締結されている。これらのボルト８とナット９とによる分割部材７ａ、７ｂの締結は、カバー７の長手方向に沿った複数個所で行われている。なお、一方の分割部材７ａにはボルト８が挿通される挿通穴１０が形成され、他方の分割部材７ｂには挿通穴１０に挿通されたボルト８が螺合されるナット９が溶接又は圧入により固定されている。カバー７の上下方向の長さ寸法は、上下方向で対向する一対のレール支持部材３の間隔より僅かに小さく設定されている。
【００１４】
ガイドレール４に取付けられたカバー７は、少なくとも一部がガイドレール４に接触し、かつ、カバー７とガイドレール４との間には空間１１が形成されている。この空間１１は、エレベータで使用する各種の信号線を敷設することができるサイズに形成され、カバー７の上下方向の全体に亘って連続している。
【００１５】
このような構成において、ガイドレール４に金属製のカバー７を少なくとも一部を接触させて取付けるという簡単で安価な構造により、レール支持部材３の上下方向の設置間隔を狭めたり、又は、ガイドレール４の材料として降伏点の高い材料を使用したり、又は、ガイドレール４のサイズを大きくしたりするという高コストの手段を採用することなく、ガイドレール４の断面係数を増やし、ガイドレール４の強度を高くすることができる。これにより、地震発生時の振動により昇降体からガイドレール４に対して横向きの外力が作用した場合でも、ガイドレール４の変形や破損を防止することができる。
【００１６】
また、カバー７は、複数に分割されてガイドレール４の基部４ａに対して個々に取付け可能な分割部材７ａ、７ｂを有し、これらの分割部材７ａ、７ｂをボルト８とナット９とで締結することにより形成されている。このため、カバー７をガイドレール４に対して後付けすることができ、ガイドレール４へのカバー７の取付け作業を容易に行うことができる。さらに、既存のガイドレール４に対してカバー７を取付けることができ、既存のガイドレール４の断面係数を増やし、ガイドレール４の強度を高くすることができる。
【００１７】
カバー７とガイドレール４との間には空間１１が形成されており、この空間１１内に信号線などを敷設することができる。これにより、エレベータ昇降路１内において信号線などの敷設スペースを確保することができる。
【００１８】
カバー７を展望用エレベータで使用した場合においては、太陽光がガイドレール４に照射されることをカバー７により遮光することができ、太陽光がガイドレール４に照射されることによるガイドレール４の熱膨張を抑制することができる。これにより、ガイドレール４の熱膨張や収縮に伴うレール支持部材３とガイドレール４との接触個所での摩擦を防止することができ、この摩擦が原因となる異音の発生やガイドレール４とレール支持部材３との摩耗を防止することができる。
【００１９】
さらに、カバー７とガイドレール４との間には空間１１が形成されているため、カバー７から放熱された熱のガイドレール４への伝わりを抑制することができ、ガイドレール４の熱膨張をより一層抑制することができる。
【００２０】
一方、太陽の位置によっては、太陽光がガイドレール４の一部に直接照射され、この太陽光の照射によりガイドレール４が加熱される場合がある。しかし、カバー７とガイドレール４とは少なくとも一部が接触しているため、カバー７をガイドレール４からの放熱部材として利用することができ、ガイドレール４からの放熱用の表面積を増大させてガイドレール４の温度上昇、及び、ガイドレール４の熱膨張を抑制することができる。しかも、カバー７が凹凸形状に形成されているため、放熱に寄与するカバー７の表面積をより一層増大させることができる。
【００２１】
また、カバー７を適宜な色に着色することができ、適宜な色に着色したカバー７をガイドレール４に取付けることによりガイドレール４の美観を向上させことができる。
【００２２】
（第２の実施形態）
本発明の第２の実施形態を図６に基づいて説明する。なお、第１の実施形態で説明した構成要素と同じ構成要素には同じ符号を付け、重複する説明は省略する。
【００２３】
第２の実施形態では、ガイドレール４に平板形状に形成された金属製のカバー１２が取付けられている。このカバー１２は、平行に対向する一対の平板１４ａ、１４ｂと、平板１４ａ、１４ｂ間に挟まされて平板１４ａ、１４ｂの間に空間１５を形成する一対のスペーサ板１６ａ、１６ｂと、平板１４ａ、１４ｂ間に挟まれて平板１４ａ、１４ｂ間を補強する複数の補強板１７とにより形成されている。空間１５は、カバー１２の上下方向の
全体に亘って連続して形成され、上下両側が開放されている。また、空間１５は、補強板１７により複数に分割され、個々の空間１５はエレベータで使用する各種の信号線を敷設することができるサイズに形成されている。
【００２４】
ガイドレール４へのカバー１２の取付けは、ガイドレール４の基部４ａとレール支持部材３の取付板３ａとでカバー１２を挟み、カバー１２をガイドレール４と共に固定クリップ５とボルト６とナット１３とによりレール支持部材３に締付けることにより行われている。カバー１２の上下方向の長さ寸法は、ガイドレール４の上下方向の長さ寸法と略同じ
に設定されている。
【００２５】
一方の平板１４ａは基部４ａの背面に面接触させて設けられ、他方の平板１４ｂはレール支持部材３の取付板３ａに面接触させて設けられている。
【００２６】
このような構成において、ガイドレール４に金属製のカバー１２をその少なくとも一部である一方の平板１４ａを接触させて取付けるという簡単で安価な構造により、レール支持部材３の上下方向の設置間隔を狭めたり、又は、ガイドレール４の材料として降伏点の高い材料を使用したり、又は、ガイドレール４のサイズを大きくしたりするという高コストの手段を採用することなく、ガイドレール４の断面係数を増やし、ガイドレール４の強度を高くすることができる。これにより、地震発生時の振動により昇降体からガイドレール４に対して横向きの外力が作用した場合でも、ガイドレール４の変形や破損を防止することができる。
【００２７】
カバー１２内には、上下両側が開放された空間１５が形成されており、この空間１５内に信号線などを敷設することができる。これにより、エレベータ昇降路１内において信号線などの敷設スペースを確保することができる。
【００２８】
カバー１２を展望用エレベータで使用した場合においては、太陽光がガイドレール４に照射されることをカバー１２により遮光することができ、太陽光がガイドレール４に照射されることによるガイドレール４の熱膨張を抑制することができる。これにより、ガイドレール４の熱膨張や収縮に伴うレール支持部材３とガイドレール４との接触個所での摩擦を防止することができ、この摩擦が原因となる異音の発生やガイドレール４とレール支持部材３との摩耗を防止することができる。
【００２９】
さらに、カバー１２内には上下方向の両端が開放された空間１５が形成されているため、カバー１２から放熱された熱のガイドレール４への伝わりを抑制することができ、ガイドレール４の熱膨張をより一層抑制することができる。
【００３０】
一方、太陽の位置によっては、太陽光がガイドレール４の一部に直接照射され、この太陽光の照射によりガイドレール４が加熱される場合がある。しかし、カバー１２の平板１４ａとガイドレール４とが接触しているため、カバー１２をガイドレール４からの放熱部材として利用することができ、ガイドレール４からの放熱用の表面積を増大させてガイドレール４の温度上昇、及び、ガイドレール４の熱膨張を抑制することができる。
【００３１】
また、カバー１２を適宜な色に着色することができ、適宜な色に着色したカバー１２をガイドレール４に取付けることによりガイドレール４の美観を向上させことができる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、様々の省略、置き換え、変更を行うことができる。これらの実施形態やその変更は、発明の範囲や要旨に含まれるとともに、特許請求の範囲に記載された発明とその均等の範囲に含まれる。
【符号の説明】
【００３３】
１      エレベータ昇降路
４      ガイドレール
７      カバー
７ａ、７ｂ  分割部材
８      ボルト（締結部材）
９      ナット（締結部材）
１１      空間
１２      カバー
１５      空間
【図１】
2012153495.tif 000003
【図２】
2012153495.tif 000004
【図３】
2012153495.tif 000005
【図４】
2012153495.tif 000006
【図５】
2012153495.tif 000007
【図６】
2012153495.tif 000008